(57)【要約】  車両拘束システム（２）用の垂直部材（１）が開示され、垂直部材（１）は、車両拘束システム（２）のガードレール（４）を取り付けることが意図される。本発明によれば、垂直部材（１）は、プロファイル支持体（５）と、プロファイル支持体（５）内の補強支持体（６）とを備え、補強支持体（６）の長手方向軸線は、プロファイル支持体（５）の長手方向軸線に実質的に平行に延びる。
2021524552.tif 000002
【特許請求の範囲】
【請求項１】
車両拘束システム（２）用の垂直部材（１）であって、
前記垂直部材（１）は、前記車両拘束システム（２）のガードレール（４）を締結するために設けられ、
前記垂直部材（１）は、プロファイル支持体（５）と、前記プロファイル支持体（５）に配置された補強支持体（６）とを備え、
前記補強支持体（６）の長手方向軸線は、前記プロファイル支持体（５）の長手方向軸線に実質的に平行に配置されていることを特徴とする、垂直部材（１）。
【請求項２】
前記プロファイル支持体（５）は、２つの狭い側面（７）及び２つの広い側面（８）を有し、少なくとも１つの締結装置（３）が、前記プロファイル支持体（５）の前記狭い側面（７）の少なくとも１つに配置されていることを特徴とする、請求項１に記載の垂直部材（１）。
【請求項３】
前記プロファイル支持体（５）及び前記補強支持体（６）は、接続装置（１０）によって互いに取り外し可能に締結されていることを特徴とする、請求項１又は２に記載の垂直部材（１）。
【請求項４】
前記プロファイル支持体（５）と前記補強支持体（６）との間にはクリアランスがあり、前記補強支持体（６）は、前記接続装置（１０）によって前記プロファイル支持体（５）に固定されていることを特徴とする、請求項３に記載の垂直部材（１）。
【請求項５】
前記少なくとも１つの接続装置（１０）は、前記補強支持体（６）及び前記プロファイル支持体（５）を、形状適合するように互いに接続することを特徴とする、請求項３又は４に記載の垂直部材（１）。
【請求項６】
前記補強支持体（６）及び前記プロファイル支持体（５）は、整列するように配置された開口を有し、前記接続装置（１０）は、両方の開口を通過することを特徴とする、請求項５に記載の垂直部材（１）。
【請求項７】
前記補強支持体（６）は、前記接続装置（１０）によって所定の方法で前記プロファイル支持体（５）の中にクランプされていることを特徴とする、請求項３又は４に記載の垂直部材（１）。
【請求項８】
前記補強支持体（６）の長さは、前記プロファイル支持体（５）の長さより短いことを特徴とする、請求項１〜７の何れか一項に記載の垂直部材（１）。
【請求項９】
前記補強支持体（６）は、前記プロファイル支持体（５）の長さの最大５０％、好ましくは最大７０％、特に好ましくは最大９０％に亘って延伸することを特徴とする、請求項１〜８の何れか一項に記載の垂直部材（１）。
【請求項１０】
前記締結装置（３）が配置されている前記プロファイル支持体（５）の領域には、前記補強支持体（６）がないことを特徴とする、請求項１〜９の何れか一項に記載の垂直部材（１）。
【請求項１１】
前記プロファイル支持体（５）は、開いたプロファイル、特にＣプロファイル又はＵプロファイルを有することを特徴とする、請求項１〜１０の何れか一項に記載の垂直部材（１）。
【請求項１２】
前記補強支持体（６）の少なくとも１つの壁面は、前記開いたプロファイルによって生じる前記プロファイル支持体（５）の開口を覆うことを特徴とする、請求項１１に記載の垂直部材（１）。
【請求項１３】
前記補強支持体（６）は、開いたプロファイル、特にＣプロファイル又はＵプロファイルを有することを特徴とする、請求項１〜１２の何れか一項に記載の垂直部材（１）。
【請求項１４】
前記補強支持体（６）の鋼種は、前記プロファイル支持体（５）の鋼種より低いことを特徴とする、請求項１〜１３の何れか一項に記載の垂直部材（１）。
【請求項１５】
請求項１〜１４の何れか一項に記載の垂直部材（１）を少なくとも１つ備える車両拘束システム（２）であって、少なくとも１つのガードレール（４）が、前記締結装置（３）によって前記少なくとも１つの垂直部材（１）に取り付けられていることを特徴とする、車両拘束システム（２）。
【発明の詳細な説明】
【技術分野】
【０００１】
本発明は、請求項１の前文による車両拘束システム用の垂直部材に関する。
【背景技術】
【０００２】
従来の車両拘束システムは、一般に、車道に隣接して一定の間隔で地面に打ち込まれる複数の垂直部材を特徴とし、それに、通常は鋼製のガードレールが取り付けられる。衝突時、特に車両の衝撃では、ガードレールが変形し、それが接続されている垂直部材に対してそれ自体を支持し、これによって、垂直部材が地面から始まり、その長さの大部分に沿って変形する。また、深刻な衝突時には、垂直部材が特定の角度を超えて変形した後に、ガードレールは通常、垂直部材から外れる。ガードレールが車両の衝撃に対して提供する抵抗の程度は、主にバリア間の距離、並びにそれぞれのバリアの曲げ剛性及び捩り剛性に依存する。
【０００３】
原則として、衝撃時に対するガードレールの抵抗を高めるために、個々の垂直部材間の距離を短くし、中実のプロファイル又は少なくともより高い鋼種の閉じたプロファイルを伴う垂直部材を使用する。
【０００４】
これの不利な点は、高い材料費及び関連する増大する材料費であり、垂直部材を地面に特定の深さまで突き刺すために大きい力を加えなければならないので、垂直部材を地面に固定する際に重大な不利な点がある。中実のプロファイルは、特に垂直部材へのガードレールの複雑な据え付けを要求する。
【発明の概要】
【発明が解決しようとする課題】
【０００５】
従って、本発明の目的は、最初に言及されたタイプの垂直部材を提供することであり、これによって、前述の不利な点が回避されることができ、衝撃時に対するガードレールの抵抗が低い材料費で増加し、また、下地への垂直部材の簡単な固定、及び１つ以上の垂直部材へのガードレールの簡単な設置を可能にする。
【課題を解決するための手段】
【０００６】
本発明によれば、これは、請求項１の特徴によって達成される。
【０００７】
これは、一方では衝突時に対する垂直部材の抵抗を高めるために中実のプロファイル支持体が要求されず、他方では垂直部材間の距離を衝突時に対するガードレールの抵抗を高めるために短くしなくてもよいので、材料費を節約できるという利点がある。そして、補強支持体を、個別に打ち込むことができる。垂直部材の複合断面が、時間軸に亘って方向を変える複雑な動的多軸荷重プロセスにおいて、中実のプロファイルを伴う垂直部材より大幅な利点を提供することがまた有利である。
【０００８】
従属請求項は、本発明の更に有利な実施形態に関する。
【０００９】
これによって、特許請求の範囲の文言が明示的に参照されて、特許請求の範囲はこの時点で参照によって説明に組み込まれ、逐語的に複製されたものと見なされる。
【００１０】
本発明は、添付の図面を参照してより詳細に説明され、好ましい実施形態が例としてのみ示される。
【図面の簡単な説明】
【００１１】
【図１】斜視図での車両拘束システムの好ましい実施形態のセクションを示す。
【図２】背面図における垂直部材の第１の好ましい実施形態を示す。
【図３】背面図における垂直部材の第２の好ましい実施形態を示す。
【図４】背面図における垂直部材の第３の好ましい実施形態を示す。
【図５】平面図における垂直部材の第４の好ましい実施形態を示す。
【図６】平面図における垂直部材の第５の好ましい実施形態を示す。
【図７】平面図における垂直部材の第６の好ましい実施形態を示す。
【図８】平面図における垂直部材の第７の好ましい実施形態を示す。
【図９】平面図における垂直部材の第８の好ましい実施形態を示す。
【図１０】平面図における垂直部材の第９の好ましい実施形態を示す。
【発明を実施するための形態】
【００１２】
図１〜図１０は、車両拘束システム２用の垂直部材１の好ましい実施形態の少なくとも一部を示し、垂直部材１は、車両拘束システム２のガードレール４を締結するための少なくとも１つの締結装置３を有する。
【００１３】
垂直部材１は、下地１１に固定されるように、特に床に突き刺され、又は打ち込まれるように設けられ、ガードレール４を保持又は支持するのに役立つ。車両拘束システム２は、一般に、多数の離間した垂直部材１と１つ以上のガードレール４とを有し、重大な事故を減少させ又は防止するために、道路を空間的に区切る。少なくとも１つのガードレール４を垂直部材１に締結するために、垂直部材１は、少なくとも１つのねじ又はねじ付きボルトを収容するための少なくとも１つの締結装置３、特に締結開口１２を有する。ガードレール４を垂直部材１に締結するために、ねじ又はねじ付きボルトは、ガードレール４及び垂直部材１の少なくとも１つの締結開口１２を通って案内され、ねじ止めされる。ガードレール４は、フック又はクランプによって垂直部材１に締結されてもよい。
【００１４】
垂直部材１は、プロファイル支持体５と、プロファイル支持体５に配置された補強支持体６とを備え、補強支持体６の長手方向軸線は、プロファイル支持体５の長手方向軸線に実質的に平行に配置される。
【００１５】
補強支持体６は、プロファイル支持体５の補強要素として機能する。言い換えれば、プロファイル支持体５に配置された補強支持体６は、垂直部材１の抵抗モーメント又は曲げ剛性及び捩り剛性を増大させる。好ましくは、補強支持体６は、プロファイル支持体５の幅より僅かに小さい幅を有する。更に好ましくは、プロファイル支持体５のプロファイルは、その長さに沿って同じままである。また、好ましくは、補強支持体６のプロファイルは、その長さに亘って同じままであってもよい。
【００１６】
これは、一方では衝突時に対する垂直部材の抵抗を高めるために中実のプロファイルを伴うプロファイル支持体が要求されず、他方では垂直部材間の距離を衝突時に対するガードレールの抵抗を高めるために短くしなくてもよいので、材料費を節約することができるという利点をもたらす。そして、補強支持体を個別に打ち込むことができる。垂直部材の複合断面が、時間軸に亘って方向を変える複雑な動的多軸荷重プロセスにおいて、中実のプロファイルを伴う垂直部材より大幅な利点を提供することがまた有利である。
【００１７】
更に、少なくとも１つの垂直部材１を備える車両拘束システム２が提供され、少なくとも１つのガードレール４が、締結装置３によって少なくとも１つの垂直部材１に取り付けられる。
【００１８】
図１は、複数の垂直部材１を備え、それぞれがプロファイル支持体５及びプロファイル支持体５に配置された補強支持体６からなる、車両拘束システム２の好ましい実施形態のセクションを斜視図で示し、垂直部材１は下地１１に固定され、ガードレール４は、ボルト及び対応するナットによって、それぞれの垂直部材１のプロファイル支持体５のそれぞれの端部領域９上の締結装置３に締結される。ねじは、それぞれのガードレール４、及び垂直部材１のそれぞれの整列した締結装置３、特に締結開口１２を通って突出する。
【００１９】
好ましくは、垂直部材１の長さの半分以上が、組み立てられた状態で下地１１に位置することができる。下地１１は、この場合の床、特に車道の端の床、又は例えば、特に双方向の交通を伴う複数車線の高速道路における、２つの車線を分離する中央分離帯を意味する。
【００２０】
ガードレール４は、例えば、Ａプロファイル又はＢプロファイルで垂直部材１に締結されていてもよい。また、垂直部材１、特に垂直部材１のプロファイル支持体５は、アンダーライドガードを締結することができる更なる締結開口１２を有してもよい。アンダーライドガードは、事故の際にガードレール４の下を滑る場合があるモーターサイクリストの重傷を防ぐことが意図される。
【００２１】
また、プロファイル支持体５及び／又は補強支持体６は、ガードレール４を締結するための複数の締結装置３を有してもよい。
【００２２】
衝撃時に垂直部材１が捩れることによって、締結装置３は傾斜して締結開口１２に引っ掛かることができ、その結果、ガードレール４は垂直部材１から外れない。曲げ応力中の垂直部材１の捩れを防止するために、好ましくは、プロファイル支持体５は、２つの狭い側面７及び２つの広い側面８を有することができ、少なくとも１つの締結装置３は、プロファイル支持体５の狭い側面７の少なくとも１つに配置される。
【００２３】
衝撃の際に垂直部材１が捩れる可能性を更に最小化するために、特に好ましくは、プロファイル支持体５及び補強支持体６は、接続装置１０によって互いに取り外し可能に締結されてもよい。この結果、両方の支持体５、６を互いから簡単に取り外し、それらを画定された初荷重、特に画定された締め付けトルクで接続することが可能である。この結果、締結装置３と接続装置１０とは異なる。プロファイル支持体５の補強支持体６への取り外し可能な締結は、変形したプロファイル支持体５及び無傷の補強支持体６の場合に、補強支持体６を新しいプロファイル支持体５に締結することができるという利点を更に提供する。更なる利点は、プロファイル支持体５及び補強支持体６を互いから個別に地面に打ち込み、又は叩き込むことができることであり、これは、両方の支持体５、６を共に打ち込み、又は叩き込む場合より要求される力が小さいことを意味する。
【００２４】
車両拘束システム２のそれぞれの垂直部材のそれぞれのプロファイル支持体５及び補強支持体６はそれぞれ、少なくとも１つの接続装置１０によって互いに接続され、又は互いに締結される。
【００２５】
好ましくは、プロファイル支持体５と補強支持体６との間にクリアランスを設けることができ、補強支持体６は、接続装置１０によってプロファイル支持体５に締結される。この目的のために、補強支持体６は、大きい力なしにプロファイル支持体５に配置されることができる。
【００２６】
特に好ましくは、少なくとも１つの接続装置１０は、補強支持体６及びプロファイル支持体５を互いに形状適合するように接続することができる。この目的のために、プロファイル支持体５は開口を有し、補強支持体６はばねピンを有することができ、ばねピンは開口に係合する。
【００２７】
接続装置１０による支持体５、６の互いへの取り外し可能な締結は、支持体５、６の間に剪断抵抗接続が生成されるので、支持体５、６の抵抗、並びに対応して、曲げ及び捩れに対する垂直部材１の抵抗、特に垂直部材１の曲げ剛性を大幅に増大させ、その結果、垂直部材１が、接続装置１０がない場合より衝撃の際に大幅に安定する。
【００２８】
更に好ましくは、補強支持体６及びプロファイル支持体５は、整列するように配置された接続開口を有し、接続装置１０は、図９及び図１０に例として示されるように、両方の接続開口を通って到達してもよい。しかし、好ましくは、図６及び図８に例として示されるように、プロファイル支持体５及び補強支持体６は、両方の狭い側面７に整列して配置された接続開口を有し、接続装置１０は、４つの接続開口の全てを通って到達してもよい。更に、接続装置１０を両方の接続開口に通過させることができるように、補強支持体６は、プロファイル支持体５に移動可能に配置されることができて、補強支持体６の少なくとも１つの接続開口をプロファイル支持体５の接続開口と整列して配置してもよい。接続装置１０によって、特に接続装置１０が共にねじ止めされる場合には、プロファイル支持体５の狭い側面７、特に狭い側面７のプロファイル脚は、支持体５、６が互いに締結される場合に、補強支持体６に対して押し付けられ、その結果、正のロックによって複合梁、いわゆる複合桁が作り出される。
【００２９】
また、補強支持体６及びプロファイル支持体５はそれぞれ、支持体５、６を解放可能に互いに締結するために、整列して配置されることができ、複数の接続装置１０を通過させることができる複数の接続開口を有してもよい。よって、支持体５、６は、２つ、３つ、又は４つ以上の多い接続装置１０によって互いに締結されることができる。
【００３０】
特に、補強支持体６及びプロファイル支持体５は、互いに非正又は摩擦で接続されてもよい。この場合には、図５〜図１０に例として示されるように、プロファイル支持体５及び補強支持体６の狭い側面７及び広い側面８の少なくとも一部は、互いに対して平坦である。それぞれの支持体５、６の狭い側面７及び／又は広い側面８の少なくとも一部の平坦な接合部は、支持体５、６間の摩擦、及び対応して垂直部材１の安定性を増加させる。
【００３１】
更に好ましくは、補強支持体６は、接続装置１０によってプロファイル支持体５に所定の方法でクランプされてもよい。プロファイル支持体５に補強支持体６をクランプすることによって、補強支持体６とプロファイル支持体５との間の摩擦が増加する。接続装置１０によって、力が、プロファイル支持体５、特にプロファイル支持体５の少なくとも１つの狭い側面７のプロファイル支持体５の少なくとも１つのプロファイル脚に加えられる。この目的のために、特に、支持体５、６の狭い側面の対応する接続開口を通って延伸するねじは、プロファイル支持体５の狭い側面の外側に位置する対応するナットにねじ止めされる。また、ねじクランプによって、補強支持体６はプロファイル支持体５にクランプされてもよい。圧力が最終的に、プロファイル支持体５の一方又は両方のプロファイル脚からプロファイル支持体５のプロファイルに位置する補強支持体６に加えられ、この結果、補強支持体６は、プロファイル支持体５にクランプされる。
【００３２】
この結果、接続装置１０によって、補強支持体６へのプロファイル支持体５の圧力は、例えば、ねじ及び対応するナット、又は例えば、ねじクランプを締めることによって調整されることができる。
【００３３】
好ましくは、補強支持体６の長さは、プロファイル支持体５の長さより短くすることができ、この結果、一方で材料費を節約し、他方で垂直部材１の曲げ剛性及び捩り剛性を補強支持体６の長さに基づいて選択的に調整することを可能にすることができる。図２は、プロファイル支持体５と同じ長さを有する補強支持体６の例を示し、垂直部材の長さの半分以上が下地１１に固定される。
【００３４】
更に、プロファイル支持体５及び／又は補強支持体６は、連続的な一定のプロファイルを有してもよい。
【００３５】
下地１１又は下地の近くの垂直部材１の曲げ剛性を増大させるために、好ましくは、プロファイル支持体５及び補強支持体６の両方が基板１１に固定されてもよく、これは、図１に例として示される。この点に関して、プロファイル支持体５の長さの半分以上、及び補強支持体６の長さの少なくとも３分の１、好ましくは少なくとも半分が下地１１に固定されてもよい。しかし、また、補強支持体６の最大５０％、特に最大３０％、好ましくは最大２０％が下地１１に固定されることができる。
【００３６】
驚くべきことに、垂直部材１の捩り剛性及び曲げ剛性の大幅な増大を達成するために、補強支持体６によってプロファイル支持体５の全長を補強する必要がないことが認識される。好ましくは、プロファイル支持体５は、主に上部領域、すなわち、下地１１の上の領域において補強支持体６で補強され、補強支持体６の一部のみが下地１１の中に突出しなければならない。衝突時に対する垂直部材１の抵抗を更に高めるために、プロファイル支持体５は、特に、下地１１の中に組み立てられた状態で、その長さの最小３０％、好ましくは最小５０％、特に好ましくは最小７０％を亘って突出する。図３は、プロファイル支持体５に配置された補強支持体６の例を示し、補強支持体６は、プロファイル支持体５の長さの半分より若干長く、補強支持体６の長さのおおよそ３分の１未満が基板１１の中に延伸する。
【００３７】
好ましくは、補強支持体６は、プロファイル支持体５の長さの最大５０％、好ましくは最大７０％、特に好ましくは最大９０％を亘って延伸してもよい。また、補強支持体６は、プロファイル支持体５の長さの最小４０％、好ましくは最小６０％、特に好ましくは最小８０％に亘って延伸してもよい。
【００３８】
また好ましくは、締結装置３が配置されるプロファイル支持体５の領域には補強支持体６がなくてもよい。この文脈において、ないとは、締結装置３が配置されるプロファイル支持体５の領域の中に補強支持体６が延伸しないことを意味する。図４は、背面図の垂直部材１の例を示し、それぞれ、プロファイル支持体５の広い側面８及びプロファイル支持体５に配置された補強支持体６を示し、垂直部材１は下地１１に突き刺され、締結装置３が配置されるプロファイル支持体５の領域には、補強支持体６がない。締結装置３は、それがプロファイル支持体５の一方又は両方の狭い側面７に配置されるという点では図４に示されていない。ねじ又はねじ付きボルトは、プロファイル支持体５の締結装置３、特に締結開口１２を通って案内されることができ、ナットは、プロファイル支持体５のセクションの内側にねじ止めされることができる。ここで、ガードレール４は、プロファイル支持体５に簡単に取り付けられることができることが有利である。この場合には、締結開口１２は、好ましくは、ねじが所定の方法で緩められることができる拡張領域を有する。好ましくは、補強支持体６がないプロファイル支持体５の領域が、プロファイル支持体５の端部領域９に、又は少なくともその近くに位置する。
【００３９】
特に好ましくは、プロファイル支持体５は開いたプロファイル、特にＣプロファイル又はＵプロファイルを有することができる。更に好ましくは、補強支持体６は開いたプロファイル、特にＣプロファイル又はＵプロファイルを有してもよい。ここで、開いたプロファイルとは、プロファイルがプロファイルの長さに亘って延伸する少なくとも１つの開口を有することを意味する。好ましくは、この目的のために、プロファイル支持体５の開いたプロファイルは、少なくともセクションにおいて、補強支持体６のための容器を形成することができる。プロファイル支持体５及び／又は補強支持体６のＣプロファイル又はＵプロファイルは、図５〜図１０に例として示されるように、プロファイル支持体５における補強支持体６の広範囲の可能な配置をもたらす。また、プロファイル支持体５及び／又は補強支持体６は、Ｇプロファイルを有してもよい。そして、プロファイル支持体５がＵプロファイルを有する場合には、補強支持体６は、Ｕプロファイルが開かれる場合にプロファイル支持体５の中に横方向に挿入されることができる。そして、プロファイル支持体５がＣプロファイルを有する場合には、補強支持体６は、プロファイル支持体５の端面の中に挿入されることができる。プロファイル支持体５のＣプロファイルの形状に起因して、補強支持体６は、プロファイル支持体５に保持され、これは、捩れに対する垂直部材１の良好な抵抗又は良好な剛性をもたらす。
【００４０】
プロファイル支持体５の開いたプロファイルに起因して、プロファイル支持体５は、中実のプロファイル又は閉じたプロファイルとは対照的に、プロファイル支持体５のより小さい表面積が地面の中に突き刺されることに対する抵抗を提供するので、地面の中に簡単に突き刺されることができる。更に、プロファイル支持体５、特に垂直部材１の開いたプロファイルに起因して、ガードレール４は、簡単に且つ容易にそれに取り付けられることができる。
【００４１】
好ましくは、プロファイル支持体５のプロファイルの開口は、プロファイル支持体５の広い側面８の１つに位置する。このように、衝撃の際に、プロファイル支持体５の真っ直ぐで大幅に低い捩り曲げが達成され、その結果、ねじが制御された方法で締結開口１２から解放され、この結果、ガードレール４がまた制御された方法で垂直部材１から解放される。
【００４２】
また、好ましくは、締結装置３が配置されるプロファイル支持体５の領域には、補強支持体６がなくてもよい。ここで、ないとは、締結装置３が配置されるプロファイル支持体５の領域の中に補強支持体６が延伸しないことを意味する。ねじ又はねじ付きボルトは、プロファイル支持体５の締結装置３、特に締結開口１２を通って案内されることができ、ナットは、プロファイル支持体５のプロファイルの内側にねじ止めされることができる。ここで、ガードレール４は、プロファイル支持体５に簡単に取り付けられることができることが有利である。締結開口１２は、好ましくは、ねじが所定の方法で緩められることができる拡張領域を有する。好ましくは、補強支持体６がないプロファイル支持体５の領域が、プロファイル支持体５の端部領域９に、又は少なくともその近くに位置する。プロファイル支持体５の開いたプロファイル及び補強支持体６がない締結開口１２の領域は、相乗効果をもたらし、すなわち、ガードレール４は、プロファイル支持体５に特に簡単に取り付けられることができる。
【００４３】
好ましくは、補強支持体６の少なくとも１つの壁面が、開いたプロファイルによって生じるプロファイル支持体５の開口を覆うことができる。これには、汚れ及びその他の環境の影響が、覆われた点においてプロファイル支持体５及び補強支持体６の内壁に到達することは困難を伴い、直接的ではないという利点があり、これは、特に腐食の低減を通じて垂直部材１の耐久性にプラスの効果をもたらす。図５は、それぞれがＵプロファイルを伴うプロファイル支持体５及び補強支持体６の例を示す。補強支持体６は、プロファイル支持体５のプロファイルにおいてプロファイル支持体５に対して１８０°回転して配置され、補強支持体６は、壁面によってプロファイル支持体５の開口を覆う。
【００４４】
図６は、プロファイル支持体５のＣプロファイルに配置されたＵプロファイルを伴う補強支持体６の例を示す。プロファイル支持体５及び補強支持体６はそれぞれ、両方の狭い側面７に整列して配置された接続開口を有し、接続装置１０は、特にねじ及びナットからなり、４つの接続開口の全てを通って係合する。整列するように配置された接続開口は、図１〜図１０には示されていない。補強支持体６は、プロファイル支持体５の配向に対して１８０°回転したプロファイル支持体５に配置され、補強支持体６は、少なくとも１つ壁面によってプロファイル支持体５のプロファイルの開口を覆う。
【００４５】
図７は、それぞれがＣプロファイルを伴うプロファイル支持体５及び補強支持体６の例を示し、補強支持体６のセクションは、後方でプロファイル支持体５の位置合わせに正に平行に配置される。この結果、補強支持体６のＣプロファイルの開口は、プロファイル支持体５のＣプロファイルの開口に平行である。
【００４６】
図８は、プロファイル支持体５のＵプロファイルに配置されるＣプロファイルを伴う補強支持体６の例を示す。プロファイル支持体５及び補強支持体６はそれぞれ、両方の狭い側面７に整列して配置された接続開口を有し、接続装置１０は、特にねじ及びナットからなり、４つの接続開口の全てを通って係合する。補強支持体６は、プロファイル支持体５のプロファイルにおいてプロファイル支持体５に対して１８０°回転して配置され、補強支持体６は、壁面によってプロファイル支持体５の開口を覆う。
【００４７】
図９は、それぞれがＵプロファイルを伴うプロファイル支持体５及び補強支持体６の例を示し、補強支持体６のプロファイルは、後方でプロファイル支持体５の位置合わせに正に平行に配置される。この結果、補強支持体６のＵプロファイルの開口は、プロファイル支持体５のＵプロファイルの開口に平行である。プロファイル支持体５及び補強支持体６はそれぞれ、それらの狭い側面７の１つに整列して配置された接続開口を有し、接続装置１０は、特にねじ及びナットからなり、支持体５、６の整列した接続開口を通って係合する。ナットは、両方の支持体５、６のプロファイルの内側にねじ止めされる。
【００４８】
図１０は、プロファイル支持体５のＣプロファイルに配置されたＣプロファイルを伴う補強支持体６の例を示す。プロファイル支持体５及び補強支持体６はそれぞれ、両方の狭い側面７に整列して配置された接続開口を有する。補強支持体６は、プロファイル支持体５に対して１８０°回転したプロファイル支持体５のプロファイルに配置され、補強支持体６は、壁面によってプロファイル支持体５のプロファイルの開口を覆う。支持体５、６の開いたプロファイルの反対の配置に起因して、衝撃の際に、支持体５、６、特にプロファイル支持体５の特に真っ直ぐで低い捩り曲げが達成されることができる。プロファイル支持体５及び補強支持体６はそれぞれ、それらの狭い側面７の１つに整列して配置された接続開口を有し、接続装置１０は、特にボルト及びナットからなり、支持体５、６の整列した接続開口を通って係合する。
【００４９】
補強支持体６の鋼種がプロファイル支持体５の鋼種より低く、この結果、コストを節約することが特に好ましい方法で提供される。例えば、補強支持体６の材料は、プロファイル支持体５の材料より低い降伏強度及び／又は引張強度を有してもよい。
【図１】
2021524552.tif 000003
【図２】
2021524552.tif 000004
【図３】
2021524552.tif 000005
【図４】
2021524552.tif 000006
【図５】
2021524552.tif 000007
【図６】
2021524552.tif 000008
【図７】
2021524552.tif 000009
【図８】
2021524552.tif 000010
【図９】
2021524552.tif 000011
【図１０】
2021524552.tif 000012
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
少なくとも１つの垂直部材（１）を備える車両拘束システム（２）であって、
前記垂直部材（１）は、プロファイル支持体（５）と、前記プロファイル支持体（５）に配置された補強支持体（６）とを備え、
前記補強支持体（６）の長手方向軸線は、前記プロファイル支持体（５）の長手方向軸線に実質的に平行に配置され、
前記プロファイル支持体（５）は、２つの狭い側面（７）及び２つの広い側面（８）を有し、
前記プロファイル支持体（５）及び前記補強支持体（６）は、接続装置（１０）によって互いに取り外し可能に締結され、
少なくとも１つの締結装置（３）が、前記プロファイル支持体（５）の前記狭い側面（７）の少なくとも１つに配置され、
少なくとも１つのガードレール（４）が、前記締結装置（３）によって前記少なくとも１つの垂直部材（１）に締結されていることを特徴とする、車両拘束システム（２）。
【請求項２】
前記プロファイル支持体（５）と前記補強支持体（６）との間にはクリアランスがあり、前記補強支持体（６）は、前記接続装置（１０）によって前記プロファイル支持体（５）に固定されていることを特徴とする、請求項１に記載の車両拘束システム（２）。
【請求項３】
前記少なくとも１つの接続装置（１０）は、前記補強支持体（６）及び前記プロファイル支持体（５）を、形状適合するように互いに接続することを特徴とする、請求項１又は２に記載の車両拘束システム（２）。
【請求項４】
前記補強支持体（６）及び前記プロファイル支持体（５）は、整列するように配置された開口を有し、前記接続装置（１０）は、両方の開口を通過することを特徴とする、請求項３に記載の車両拘束システム（２）。
【請求項５】
前記補強支持体（６）は、前記接続装置（１０）によって所定の方法で前記プロファイル支持体（５）にクランプされていることを特徴とする、請求項１又は２に記載の車両拘束システム（２）。
【請求項６】
前記補強支持体（６）の長さは、前記プロファイル支持体（５）の長さより短いことを特徴とする、請求項１〜５の何れか一項に記載の車両拘束システム（２）。
【請求項７】
前記補強支持体（６）は、前記プロファイル支持体（５）の長さの最大５０％、好ましくは最大７０％、特に好ましくは最大９０％に亘って延伸することを特徴とする、請求項１〜６の何れか一項に記載の車両拘束システム（２）。
【請求項８】
前記締結装置（３）が配置されている前記プロファイル支持体（５）の領域には、前記補強支持体（６）がないことを特徴とする、請求項１〜７の何れか一項に記載の車両拘束システム（２）。
【請求項９】
前記プロファイル支持体（５）は、開いたプロファイル、特にＣプロファイル又はＵプロファイルを有することを特徴とする、請求項１〜８の何れか一項に記載の車両拘束システム（２）。
【請求項１０】
前記補強支持体（６）の少なくとも１つの壁面は、前記開いたプロファイルによって生じる前記プロファイル支持体（５）の開口を覆うことを特徴とする、請求項９に記載の車両拘束システム（２）。
【請求項１１】
前記補強支持体（６）は、開いたプロファイル、特にＣプロファイル又はＵプロファイルを有することを特徴とする、請求項１〜１０の何れか一項に記載の車両拘束システム（２））。
【請求項１２】
前記補強支持体（６）の鋼種は、前記プロファイル支持体（５）の鋼種より低いことを特徴とする、請求項１〜１１の何れか一項に記載の車両拘束システム（２）。
【手続補正２】
【補正対象書類名】明細書
【補正対象項目名】全文
【補正方法】変更
【補正の内容】
【発明の詳細な説明】
【技術分野】
【０００１】
本発明は、請求項１の前文による車両拘束システム用の垂直部材に関する。
【背景技術】
【０００２】
従来の車両拘束システムは、一般に、車道に隣接して一定の間隔で地面に打ち込まれる複数の垂直部材を特徴とし、それに、通常は鋼製のガードレールが取り付けられる。衝突時、特に車両の衝撃では、ガードレールが変形し、それが接続されている垂直部材に対してそれ自体を支持し、これによって、垂直部材が地面から始まり、その長さの大部分に沿って変形する。また、深刻な衝突時には、垂直部材が特定の角度を超えて変形した後に、ガードレールは通常、垂直部材から外れる。ガードレールが車両の衝撃に対して提供する抵抗の程度は、主にバリア間の距離、並びにそれぞれのバリアの曲げ剛性及び捩り剛性に依存する。
【０００３】
原則として、衝撃時に対するガードレールの抵抗を高めるために、個々の垂直部材間の距離を短くし、中実のプロファイル又は少なくともより高い鋼種の閉じたプロファイルを伴う垂直部材を使用する。
【０００４】
特許文献１は、補強プロファイルが挿入されている支柱を備えるガードレール構成を開示する。支柱及び補強プロファイルの両方が開いたプロファイルとして設計されている。
【０００５】
特許文献２は、Ｃ字型のプロファイル支持体用の補強要素を有する、ガードレール構成用の垂直部材を示す。
【０００６】
特許文献３は、ガードレールの高さ調節可能な取り付け用の管状垂直部材を示し、垂直部材は、丸い主支柱及び少なくとも１つの補強支柱を備える。
【０００７】
特許文献４は、垂直部材を備える車両拘束システムを示し、補強プロファイルは、垂直部材に挿入されていない。
【０００８】
これの不利な点は、高い材料費及び関連する増大する材料費であり、垂直部材を地面に特定の深さまで突き刺すために大きい力を加えなければならないので、垂直部材を地面に固定する際に重大な不利な点がある。中実のプロファイルは、特に垂直部材へのガードレールの複雑な据え付けを要求する。
【先行技術文献】
【特許文献】
【０００９】
【特許文献１】独国実用新案第２０２００６０１５１４９号明細書
【特許文献２】仏国特許出願公開第２５５５６２２号明細書
【特許文献３】韓国実用新案第２０２０１２０００１０２８号明細書
【特許文献４】米国特許出願公開第２０１４／０１４５１３２号明細書
【発明の概要】
【発明が解決しようとする課題】
【００１０】
従って、本発明の目的は、最初に言及されたタイプの垂直部材を提供することであり、これによって、前述の不利な点が回避されることができ、衝撃時に対するガードレールの抵抗が低い材料費で増加し、また、下地への垂直部材の簡単な固定、及び１つ以上の垂直部材へのガードレールの簡単な設置を可能にする。
【課題を解決するための手段】
【００１１】
本発明によれば、これは、請求項１の特徴によって達成される。
【００１２】
これは、一方では衝突時に対する垂直部材の抵抗を高めるために中実のプロファイル支持体が要求されず、他方では垂直部材間の距離を衝突時に対するガードレールの抵抗を高めるために短くしなくてもよいので、材料費を節約できるという利点がある。そして、補強支持体を、個別に打ち込むことができる。垂直部材の複合断面が、時間軸に亘って方向を変える複雑な動的多軸荷重プロセスにおいて、中実のプロファイルを伴う垂直部材より大幅な利点を提供することがまた有利である。
【００１３】
従属請求項は、本発明の更に有利な実施形態に関する。
【００１４】
これによって、特許請求の範囲の文言が明示的に参照されて、特許請求の範囲はこの時点で参照によって説明に組み込まれ、逐語的に複製されたものと見なされる。
【００１５】
本発明は、添付の図面を参照してより詳細に説明され、好ましい実施形態が例としてのみ示される。
【図面の簡単な説明】
【００１６】
【図１】斜視図での車両拘束システムの好ましい実施形態のセクションを示す。
【図２】背面図における垂直部材の第１の好ましい実施形態を示す。
【図３】背面図における垂直部材の第２の好ましい実施形態を示す。
【図４】背面図における垂直部材の第３の好ましい実施形態を示す。
【図５】平面図における垂直部材の第４の好ましい実施形態を示す。
【図６】平面図における垂直部材の第５の好ましい実施形態を示す。
【図７】平面図における垂直部材の第６の好ましい実施形態を示す。
【図８】平面図における垂直部材の第７の好ましい実施形態を示す。
【図９】平面図における垂直部材の第８の好ましい実施形態を示す。
【図１０】平面図における垂直部材の第９の好ましい実施形態を示す。
【発明を実施するための形態】
【００１７】
図１〜図１０は、車両拘束システム２用の垂直部材１の好ましい実施形態の少なくとも一部を示し、垂直部材１は、車両拘束システム２のガードレール４を締結するための少なくとも１つの締結装置３を有する。
【００１８】
垂直部材１は、下地１１に固定されるように、特に床に突き刺され、又は打ち込まれるように設けられ、ガードレール４を保持又は支持するのに役立つ。車両拘束システム２は、一般に、多数の離間した垂直部材１と１つ以上のガードレール４とを有し、重大な事故を減少させ又は防止するために、道路を空間的に区切る。少なくとも１つのガードレール４を垂直部材１に締結するために、垂直部材１は、少なくとも１つのねじ又はねじ付きボルトを収容するための少なくとも１つの締結装置３、特に締結開口１２を有する。ガードレール４を垂直部材１に締結するために、ねじ又はねじ付きボルトは、ガードレール４及び垂直部材１の少なくとも１つの締結開口１２を通って案内され、ねじ止めされる。ガードレール４は、フック又はクランプによって垂直部材１に締結されてもよい。
【００１９】
垂直部材１は、プロファイル支持体５と、プロファイル支持体５に配置された補強支持体６とを備え、補強支持体６の長手方向軸線は、プロファイル支持体５の長手方向軸線に実質的に平行に配置される。
【００２０】
補強支持体６は、プロファイル支持体５の補強要素として機能する。言い換えれば、プロファイル支持体５に配置された補強支持体６は、垂直部材１の抵抗モーメント又は曲げ剛性及び捩り剛性を増大させる。好ましくは、補強支持体６は、プロファイル支持体５の幅より僅かに小さい幅を有する。更に好ましくは、プロファイル支持体５のプロファイルは、その長さに沿って同じままである。また、好ましくは、補強支持体６のプロファイルは、その長さに亘って同じままであってもよい。
【００２１】
これは、一方では衝突時に対する垂直部材の抵抗を高めるために中実のプロファイルを伴うプロファイル支持体が要求されず、他方では垂直部材間の距離を衝突時に対するガードレールの抵抗を高めるために短くしなくてもよいので、材料費を節約することができるという利点をもたらす。そして、補強支持体を個別に打ち込むことができる。垂直部材の複合断面が、時間軸に亘って方向を変える複雑な動的多軸荷重プロセスにおいて、中実のプロファイルを伴う垂直部材より大幅な利点を提供することがまた有利である。
【００２２】
更に、少なくとも１つの垂直部材１を備える車両拘束システム２が提供され、少なくとも１つのガードレール４が、締結装置３によって少なくとも１つの垂直部材１に取り付けられる。
【００２３】
図１は、複数の垂直部材１を備え、それぞれがプロファイル支持体５及びプロファイル支持体５に配置された補強支持体６からなる、車両拘束システム２の好ましい実施形態のセクションを斜視図で示し、垂直部材１は下地１１に固定され、ガードレール４は、ボルト及び対応するナットによって、それぞれの垂直部材１のプロファイル支持体５のそれぞれの端部領域９上の締結装置３に締結される。ねじは、それぞれのガードレール４、及び垂直部材１のそれぞれの整列した締結装置３、特に締結開口１２を通って突出する。
【００２４】
好ましくは、垂直部材１の長さの半分以上が、組み立てられた状態で下地１１に位置することができる。下地１１は、この場合の床、特に車道の端の床、又は例えば、特に双方向の交通を伴う複数車線の高速道路における、２つの車線を分離する中央分離帯を意味する。
【００２５】
ガードレール４は、例えば、Ａプロファイル又はＢプロファイルで垂直部材１に締結されていてもよい。また、垂直部材１、特に垂直部材１のプロファイル支持体５は、アンダーライドガードを締結することができる更なる締結開口１２を有してもよい。アンダーライドガードは、事故の際にガードレール４の下を滑る場合があるモーターサイクリストの重傷を防ぐことが意図される。
【００２６】
また、プロファイル支持体５及び／又は補強支持体６は、ガードレール４を締結するための複数の締結装置３を有してもよい。
【００２７】
衝撃時に垂直部材１が捩れることによって、締結装置３は傾斜して締結開口１２に引っ掛かることができ、その結果、ガードレール４は垂直部材１から外れない。曲げ応力中の垂直部材１の捩れを防止するために、好ましくは、プロファイル支持体５は、２つの狭い側面７及び２つの広い側面８を有することができ、少なくとも１つの締結装置３は、プロファイル支持体５の狭い側面７の少なくとも１つに配置される。
【００２８】
衝撃の際に垂直部材１が捩れる可能性を更に最小化するために、特に好ましくは、プロファイル支持体５及び補強支持体６は、接続装置１０によって互いに取り外し可能に締結されてもよい。この結果、両方の支持体５、６を互いから簡単に取り外し、それらを画定された初荷重、特に画定された締め付けトルクで接続することが可能である。この結果、締結装置３と接続装置１０とは異なる。プロファイル支持体５の補強支持体６への取り外し可能な締結は、変形したプロファイル支持体５及び無傷の補強支持体６の場合に、補強支持体６を新しいプロファイル支持体５に締結することができるという利点を更に提供する。更なる利点は、プロファイル支持体５及び補強支持体６を互いから個別に地面に打ち込み、又は叩き込むことができることであり、これは、両方の支持体５、６を共に打ち込み、又は叩き込む場合より要求される力が小さいことを意味する。
【００２９】
車両拘束システム２のそれぞれの垂直部材のそれぞれのプロファイル支持体５及び補強支持体６はそれぞれ、少なくとも１つの接続装置１０によって互いに接続され、又は互いに締結される。
【００３０】
好ましくは、プロファイル支持体５と補強支持体６との間にクリアランスを設けることができ、補強支持体６は、接続装置１０によってプロファイル支持体５に締結される。この目的のために、補強支持体６は、大きい力なしにプロファイル支持体５に配置されることができる。
【００３１】
特に好ましくは、少なくとも１つの接続装置１０は、補強支持体６及びプロファイル支持体５を互いに形状適合するように接続することができる。この目的のために、プロファイル支持体５は開口を有し、補強支持体６はばねピンを有することができ、ばねピンは開口に係合する。
【００３２】
接続装置１０による支持体５、６の互いへの取り外し可能な締結は、支持体５、６の間に剪断抵抗接続が生成されるので、支持体５、６の抵抗、並びに対応して、曲げ及び捩れに対する垂直部材１の抵抗、特に垂直部材１の曲げ剛性を大幅に増大させ、その結果、垂直部材１が、接続装置１０がない場合より衝撃の際に大幅に安定する。
【００３３】
更に好ましくは、補強支持体６及びプロファイル支持体５は、整列するように配置された接続開口を有し、接続装置１０は、図９及び図１０に例として示されるように、両方の接続開口を通って到達してもよい。しかし、好ましくは、図６及び図８に例として示されるように、プロファイル支持体５及び補強支持体６は、両方の狭い側面７に整列して配置された接続開口を有し、接続装置１０は、４つの接続開口の全てを通って到達してもよい。更に、接続装置１０を両方の接続開口に通過させることができるように、補強支持体６は、プロファイル支持体５に移動可能に配置されることができて、補強支持体６の少なくとも１つの接続開口をプロファイル支持体５の接続開口と整列して配置してもよい。接続装置１０によって、特に接続装置１０が共にねじ止めされる場合には、プロファイル支持体５の狭い側面７、特に狭い側面７のプロファイル脚は、支持体５、６が互いに締結される場合に、補強支持体６に対して押し付けられ、その結果、正のロックによって複合梁、いわゆる複合桁が作り出される。
【００３４】
また、補強支持体６及びプロファイル支持体５はそれぞれ、支持体５、６を解放可能に互いに締結するために、整列して配置されることができ、複数の接続装置１０を通過させることができる複数の接続開口を有してもよい。よって、支持体５、６は、２つ、３つ、又は４つ以上の多い接続装置１０によって互いに締結されることができる。
【００３５】
特に、補強支持体６及びプロファイル支持体５は、互いに非正又は摩擦で接続されてもよい。この場合には、図５〜図１０に例として示されるように、プロファイル支持体５及び補強支持体６の狭い側面７及び広い側面８の少なくとも一部は、互いに対して平坦である。それぞれの支持体５、６の狭い側面７及び／又は広い側面８の少なくとも一部の平坦な接合部は、支持体５、６間の摩擦、及び対応して垂直部材１の安定性を増加させる。
【００３６】
更に好ましくは、補強支持体６は、接続装置１０によってプロファイル支持体５に所定の方法でクランプされてもよい。プロファイル支持体５に補強支持体６をクランプすることによって、補強支持体６とプロファイル支持体５との間の摩擦が増加する。接続装置１０によって、力が、プロファイル支持体５、特にプロファイル支持体５の少なくとも１つの狭い側面７のプロファイル支持体５の少なくとも１つのプロファイル脚に加えられる。この目的のために、特に、支持体５、６の狭い側面の対応する接続開口を通って延伸するねじは、プロファイル支持体５の狭い側面の外側に位置する対応するナットにねじ止めされる。また、ねじクランプによって、補強支持体６はプロファイル支持体５にクランプされてもよい。圧力が最終的に、プロファイル支持体５の一方又は両方のプロファイル脚からプロファイル支持体５のプロファイルに位置する補強支持体６に加えられ、この結果、補強支持体６は、プロファイル支持体５にクランプされる。
【００３７】
この結果、接続装置１０によって、補強支持体６へのプロファイル支持体５の圧力は、例えば、ねじ及び対応するナット、又は例えば、ねじクランプを締めることによって調整されることができる。
【００３８】
好ましくは、補強支持体６の長さは、プロファイル支持体５の長さより短くすることができ、この結果、一方で材料費を節約し、他方で垂直部材１の曲げ剛性及び捩り剛性を補強支持体６の長さに基づいて選択的に調整することを可能にすることができる。図２は、プロファイル支持体５と同じ長さを有する補強支持体６の例を示し、垂直部材の長さの半分以上が下地１１に固定される。
【００３９】
更に、プロファイル支持体５及び／又は補強支持体６は、連続的な一定のプロファイルを有してもよい。
【００４０】
下地１１又は下地の近くの垂直部材１の曲げ剛性を増大させるために、好ましくは、プロファイル支持体５及び補強支持体６の両方が基板１１に固定されてもよく、これは、図１に例として示される。この点に関して、プロファイル支持体５の長さの半分以上、及び補強支持体６の長さの少なくとも３分の１、好ましくは少なくとも半分が下地１１に固定されてもよい。しかし、また、補強支持体６の最大５０％、特に最大３０％、好ましくは最大２０％が下地１１に固定されることができる。
【００４１】
驚くべきことに、垂直部材１の捩り剛性及び曲げ剛性の大幅な増大を達成するために、補強支持体６によってプロファイル支持体５の全長を補強する必要がないことが認識される。好ましくは、プロファイル支持体５は、主に上部領域、すなわち、下地１１の上の領域において補強支持体６で補強され、補強支持体６の一部のみが下地１１の中に突出しなければならない。衝突時に対する垂直部材１の抵抗を更に高めるために、プロファイル支持体５は、特に、下地１１の中に組み立てられた状態で、その長さの最小３０％、好ましくは最小５０％、特に好ましくは最小７０％を亘って突出する。図３は、プロファイル支持体５に配置された補強支持体６の例を示し、補強支持体６は、プロファイル支持体５の長さの半分より若干長く、補強支持体６の長さのおおよそ３分の１未満が基板１１の中に延伸する。
【００４２】
好ましくは、補強支持体６は、プロファイル支持体５の長さの最大５０％、好ましくは最大７０％、特に好ましくは最大９０％を亘って延伸してもよい。また、補強支持体６は、プロファイル支持体５の長さの最小４０％、好ましくは最小６０％、特に好ましくは最小８０％に亘って延伸してもよい。
【００４３】
また好ましくは、締結装置３が配置されるプロファイル支持体５の領域には補強支持体６がなくてもよい。この文脈において、ないとは、締結装置３が配置されるプロファイル支持体５の領域の中に補強支持体６が延伸しないことを意味する。図４は、背面図の垂直部材１の例を示し、それぞれ、プロファイル支持体５の広い側面８及びプロファイル支持体５に配置された補強支持体６を示し、垂直部材１は下地１１に突き刺され、締結装置３が配置されるプロファイル支持体５の領域には、補強支持体６がない。締結装置３は、それがプロファイル支持体５の一方又は両方の狭い側面７に配置されるという点では図４に示されていない。ねじ又はねじ付きボルトは、プロファイル支持体５の締結装置３、特に締結開口１２を通って案内されることができ、ナットは、プロファイル支持体５のセクションの内側にねじ止めされることができる。ここで、ガードレール４は、プロファイル支持体５に簡単に取り付けられることができることが有利である。この場合には、締結開口１２は、好ましくは、ねじが所定の方法で緩められることができる拡張領域を有する。好ましくは、補強支持体６がないプロファイル支持体５の領域が、プロファイル支持体５の端部領域９に、又は少なくともその近くに位置する。
【００４４】
特に好ましくは、プロファイル支持体５は開いたプロファイル、特にＣプロファイル又はＵプロファイルを有することができる。更に好ましくは、補強支持体６は開いたプロファイル、特にＣプロファイル又はＵプロファイルを有してもよい。ここで、開いたプロファイルとは、プロファイルがプロファイルの長さに亘って延伸する少なくとも１つの開口を有することを意味する。好ましくは、この目的のために、プロファイル支持体５の開いたプロファイルは、少なくともセクションにおいて、補強支持体６のための容器を形成することができる。プロファイル支持体５及び／又は補強支持体６のＣプロファイル又はＵプロファイルは、図５〜図１０に例として示されるように、プロファイル支持体５における補強支持体６の広範囲の可能な配置をもたらす。また、プロファイル支持体５及び／又は補強支持体６は、Ｇプロファイルを有してもよい。そして、プロファイル支持体５がＵプロファイルを有する場合には、補強支持体６は、Ｕプロファイルが開かれる場合にプロファイル支持体５の中に横方向に挿入されることができる。そして、プロファイル支持体５がＣプロファイルを有する場合には、補強支持体６は、プロファイル支持体５の端面の中に挿入されることができる。プロファイル支持体５のＣプロファイルの形状に起因して、補強支持体６は、プロファイル支持体５に保持され、これは、捩れに対する垂直部材１の良好な抵抗又は良好な剛性をもたらす。
【００４５】
プロファイル支持体５の開いたプロファイルに起因して、プロファイル支持体５は、中実のプロファイル又は閉じたプロファイルとは対照的に、プロファイル支持体５のより小さい表面積が地面の中に突き刺されることに対する抵抗を提供するので、地面の中に簡単に突き刺されることができる。更に、プロファイル支持体５、特に垂直部材１の開いたプロファイルに起因して、ガードレール４は、簡単に且つ容易にそれに取り付けられることができる。
【００４６】
好ましくは、プロファイル支持体５のプロファイルの開口は、プロファイル支持体５の広い側面８の１つに位置する。このように、衝撃の際に、プロファイル支持体５の真っ直ぐで大幅に低い捩り曲げが達成され、その結果、ねじが制御された方法で締結開口１２から解放され、この結果、ガードレール４がまた制御された方法で垂直部材１から解放される。
【００４７】
また、好ましくは、締結装置３が配置されるプロファイル支持体５の領域には、補強支持体６がなくてもよい。ここで、ないとは、締結装置３が配置されるプロファイル支持体５の領域の中に補強支持体６が延伸しないことを意味する。ねじ又はねじ付きボルトは、プロファイル支持体５の締結装置３、特に締結開口１２を通って案内されることができ、ナットは、プロファイル支持体５のプロファイルの内側にねじ止めされることができる。ここで、ガードレール４は、プロファイル支持体５に簡単に取り付けられることができることが有利である。締結開口１２は、好ましくは、ねじが所定の方法で緩められることができる拡張領域を有する。好ましくは、補強支持体６がないプロファイル支持体５の領域が、プロファイル支持体５の端部領域９に、又は少なくともその近くに位置する。プロファイル支持体５の開いたプロファイル及び補強支持体６がない締結開口１２の領域は、相乗効果をもたらし、すなわち、ガードレール４は、プロファイル支持体５に特に簡単に取り付けられることができる。
【００４８】
好ましくは、補強支持体６の少なくとも１つの壁面が、開いたプロファイルによって生じるプロファイル支持体５の開口を覆うことができる。これには、汚れ及びその他の環境の影響が、覆われた点においてプロファイル支持体５及び補強支持体６の内壁に到達することは困難を伴い、直接的ではないという利点があり、これは、特に腐食の低減を通じて垂直部材１の耐久性にプラスの効果をもたらす。図５は、それぞれがＵプロファイルを伴うプロファイル支持体５及び補強支持体６の例を示す。補強支持体６は、プロファイル支持体５のプロファイルにおいてプロファイル支持体５に対して１８０°回転して配置され、補強支持体６は、壁面によってプロファイル支持体５の開口を覆う。
【００４９】
図６は、プロファイル支持体５のＣプロファイルに配置されたＵプロファイルを伴う補強支持体６の例を示す。プロファイル支持体５及び補強支持体６はそれぞれ、両方の狭い側面７に整列して配置された接続開口を有し、接続装置１０は、特にねじ及びナットからなり、４つの接続開口の全てを通って係合する。整列するように配置された接続開口は、図１〜図１０には示されていない。補強支持体６は、プロファイル支持体５の配向に対して１８０°回転したプロファイル支持体５に配置され、補強支持体６は、少なくとも１つ壁面によってプロファイル支持体５のプロファイルの開口を覆う。
【００５０】
図７は、それぞれがＣプロファイルを伴うプロファイル支持体５及び補強支持体６の例を示し、補強支持体６のセクションは、後方でプロファイル支持体５の位置合わせに正に平行に配置される。この結果、補強支持体６のＣプロファイルの開口は、プロファイル支持体５のＣプロファイルの開口に平行である。
【００５１】
図８は、プロファイル支持体５のＵプロファイルに配置されるＣプロファイルを伴う補強支持体６の例を示す。プロファイル支持体５及び補強支持体６はそれぞれ、両方の狭い側面７に整列して配置された接続開口を有し、接続装置１０は、特にねじ及びナットからなり、４つの接続開口の全てを通って係合する。補強支持体６は、プロファイル支持体５のプロファイルにおいてプロファイル支持体５に対して１８０°回転して配置され、補強支持体６は、壁面によってプロファイル支持体５の開口を覆う。
【００５２】
図９は、それぞれがＵプロファイルを伴うプロファイル支持体５及び補強支持体６の例を示し、補強支持体６のプロファイルは、後方でプロファイル支持体５の位置合わせに正に平行に配置される。この結果、補強支持体６のＵプロファイルの開口は、プロファイル支持体５のＵプロファイルの開口に平行である。プロファイル支持体５及び補強支持体６はそれぞれ、それらの狭い側面７の１つに整列して配置された接続開口を有し、接続装置１０は、特にねじ及びナットからなり、支持体５、６の整列した接続開口を通って係合する。ナットは、両方の支持体５、６のプロファイルの内側にねじ止めされる。
【００５３】
図１０は、プロファイル支持体５のＣプロファイルに配置されたＣプロファイルを伴う補強支持体６の例を示す。プロファイル支持体５及び補強支持体６はそれぞれ、両方の狭い側面７に整列して配置された接続開口を有する。補強支持体６は、プロファイル支持体５に対して１８０°回転したプロファイル支持体５のプロファイルに配置され、補強支持体６は、壁面によってプロファイル支持体５のプロファイルの開口を覆う。支持体５、６の開いたプロファイルの反対の配置に起因して、衝撃の際に、支持体５、６、特にプロファイル支持体５の特に真っ直ぐで低い捩り曲げが達成されることができる。プロファイル支持体５及び補強支持体６はそれぞれ、それらの狭い側面７の１つに整列して配置された接続開口を有し、接続装置１０は、特にボルト及びナットからなり、支持体５、６の整列した接続開口を通って係合する。
【００５４】
補強支持体６の鋼種がプロファイル支持体５の鋼種より低く、この結果、コストを節約することが特に好ましい方法で提供される。例えば、補強支持体６の材料は、プロファイル支持体５の材料より低い降伏強度及び／又は引張強度を有してもよい。
【国際調査報告】
2021524552.tif 000013
2021524552.tif 000014
2021524552.tif 000015
2021524552.tif 000016